(57)【要約】複数本の針を備えていて、構成が簡単で容易に製造することができる注射針と注射装置を提供することを目的とし、  薬液収容空間を備えた針基と、上記針基に取り付けられその基端が上記薬液収容空間に連通する複数本の針と、を具備してなる注射針において、上記針基は、上記針の軸方向に直交する方向に上記薬液収容空間を開口する開口部を備えた針基本体と、上記針基本体の上記開口部を閉塞する蓋材と、から構成されていることを特徴とするもの。
2020175412.tif 000002
【特許請求の範囲】
【請求項１】
薬液収容空間を備えた針基と、
上記針基に取り付けられその基端が上記薬液収容空間に連通する複数本の針と、
を具備してなる注射針において、
上記針基は、上記針の軸方向に直交する方向に上記薬液収容空間を開口する開口部を備えた針基本体と、上記針基本体の上記開口部を閉塞する蓋材と、から構成されていることを特徴とする注射針。
【請求項２】
請求項１記載の注射針において、
上記開口部は上記薬液収容空間成形用のスライド型を抜く為のものであることを特徴とする注射針。
【請求項３】
請求項１又は請求項２記載の注射針において、
上記開口部は上記針基本体の横断面を上から視た時短い辺の側に設けられていることを特徴とする注射針。
【請求項４】
請求項１〜請求項３の何れかに記載の注射針において、
上記針基本体には凹部が形成されていて、上記開口部は上記凹部の底部に設けられており、上記凹部は上記開口部に対して大きく形成されていることを特徴とする注射針。
【請求項５】
請求項４記載の注射針において、
上記蓋材は上記凹部に係合される基端部から上記開口部を閉塞する先端部に向けて先細に形成されていることを特徴とする注射針。
【請求項６】
請求項１〜請求項５の何れかに記載の注射針において、
上記蓋材は封止剤が固化したものであることを特徴とする注射針。
【請求項７】
請求項６記載の注射針において、
上記封止剤は接着剤であることを特徴とする注射針。
【請求項８】
請求項１〜請求項５の何れかに記載の注射針において、
上記針基本体と上記蓋材は予め一体化されていることを特徴とする注射針。
【請求項９】
請求項１〜請求項８の何れかに記載の注射針において、
上記複数本の針は縦複数列／横一列に配置されていることを特徴とする注射針。
【請求項１０】
請求項１〜請求項８の何れかに記載の注射針において、
上記複数本の針は縦複数列／横複数列に配置されていることを特徴とする注射針。
【請求項１１】
請求項１〜請求項１０の何れかに記載の注射針において、
上記複数本の針の先端は傾斜刃面となっていて、この傾斜刃面の向きは不規則的であることを特徴とする注射針。
【請求項１２】
請求項１〜請求項１０の何れかに記載の注射針において、
上記複数本の針の傾斜刃面の向きは規則的であることを特徴とする注射針。
【請求項１３】
請求項１２記載の注射針において、
上記複数本の針の傾斜刃面は全て同じ方向に指向していることを特徴とする注射針。
【請求項１４】
請求項１２記載の注射針において、
上記複数本の針は縦複数列／横複数列に配置されていて、中心の針を除くその他の針の傾斜刃面は放射方向内側又は放射方向外側に指向していることを特徴とする注射針。
【請求項１５】
シリンジと、上記シリンジの先端に取り付けられた請求項１〜請求項１４の何れかに記載された注射針と、を具備したことを特徴とする注射装置。
【発明の詳細な説明】
【技術分野】
【０００１】
本発明は、複数本の針を備えた注射針と注射装置に係り、特に、構成が簡単で容易に製造することができるように工夫したものに関する。
【背景技術】
【０００２】
例えば、美容を目的とするボトックス（登録商標）・ヒアルロン酸の皮内から皮下への投与、腋窩多汗症の治療のためのボトックス（登録商標）の皮内から皮下への投与、頭髪の再生のためのステロイド、ＰＲＰ（Ｐｌａｔｅｌｅｔ−Ｒｉｃｈ・Ｐｌａｓｍａ：多血小板血漿）、細胞等の皮内から皮下への投与は、通常、１回の治療で数回から数十回行われる。これを１本針の注射針で行おうとすると治療に多くの労力と長い時間を要してしまう。
そこで、複数本の注射針を備えた注射針、いわゆる「マルチ針」の使用が提案されている。
この種のマルチ針の構成を開示するものとして、例えば、特許文献１乃至特許文献４がある。【０００３】
まず、特許文献１に記載された発明による薬液注入針は、薬液注入針本体と、この薬液注入針本体に取付けられた３本の針から構成されている。上記薬液注入針本体の基端側には空間部が形成されていて、その空間部に注射器の基端が差し込まれる。
次に、特許文献２に記載された発明によるマルチニードルは、ニードルハブを備えていて、このニードルハブが第１本体と第２本体から構成されている。上記第１本体には複数本のニードルが収容され、上記第２本体には空間部が形成されていて、上記空間部内に注射器の先端が差し込まれる。【０００４】
次に、特許文献３に記載された発明による注射針は、針基、嵌合収容部、針管シールド部、等から構成されていて、針基には複数本の針が取り付けられるとともに、嵌合収容部側には空間部が形成されていて、その空間部内に注射器の先端が差し込まれる。
さらに、特許文献４に記載された発明による皮膚透過性強化装置は、支持部と連結部材とを備えていて、上記支持部には複数本のカニューラが取り付けられているとともに、上記連結部材には空間部が形成されていて、その空間部内に注射器の先端が差し込まれる。
【先行技術文献】
【特許文献】
【０００５】
【特許文献１】特許第６０６８０５７号公報
【特許文献２】特表２０１１−５０９７３５号公報
【特許文献３】特開２０１８−４７２２７号公報
【特許文献４】特許第４８３６３９２号公報
【発明の概要】
【発明が解決しようとする課題】
【０００６】
しかしながら、上記従来の注射針、注射装置では、次のような問題があった。
まず、特許文献１に記載された発明の場合には、薬液注入針本体が単一部材から構成されていて構成は簡単であるが、針の本数とピッチに限界があるという問題があった。
因みに、針の本数を増加させようとすると、薬液注入針本体の注射器側部位に対して針側部位の径が大きくなっていき、薬液注入針本体の形状も必然的に複雑化していき、製造上の問題（成形時に使用するスライド型の取り出しに関する問題）により単一部品で構成することが困難になることが予想される。
又、特許文献２に記載された発明の場合には、第１本体と第２本体の二つの部品がそれぞれ比較的大型、且つ、複雑な形状をなしているという問題があった。
又、特許文献３に記載された発明の場合には、針基、嵌合収容部、針管シールド部、等、複数個の部品から構成されていて、構成が複雑であるとともにその製造も困難であった。
さらに、引用文献４に記載された発明の場合にも、上記特許文献２に記載された発明の場合と同様に、支持部材と連結部材の二つの部品がそれぞれ比較的大型、且つ、複雑な形状をなしているため、製造が困難であるという問題があった。【０００７】
本発明はこのような点に基づいてなされたものでその目的とするところは、複数本の針を備えていて、構成が簡単で容易に製造することができる注射針と注射装置を提供することにある。
【課題を解決するための手段】
【０００８】
上記課題を解決するべく本願発明の請求項１による注射針は、薬液収容空間を備えた針基と、上記針基に取り付けられその基端が上記薬液収容空間に連通する複数本の針と、を具備してなる注射針において、上記針基は、上記針の軸方向に直交する方向に上記薬液収容空間を開口する開口部を備えた針基本体と、上記針基本体の上記開口部を閉塞する蓋材と、から構成されていることを特徴とするものである。
又、請求項２による注射針は、請求項１記載の注射針において、上記開口部は上記薬液収容空間成形用のスライド型を抜く為のものであることを特徴とするものである。
又、請求項３による注射針は、請求項１又は請求項２記載の注射針において、上記開口部は上記針基本体の横断面を上から視た時短い辺の側に設けられていることを特徴とするものである。
又、請求項４による注射針は、請求項１〜請求項３の何れかに記載の注射針において、上記針基本体には凹部が形成されていて、上記開口部は上記凹部の底部に設けられており、上記凹部は上記開口部に対して大きく形成されていることを特徴とするものである。
又、請求項５による注射針は、請求項４記載の注射針において、上記蓋材は上記凹部に係合される基端部から上記開口部を閉塞する先端部に向けて先細に形成されていることを特徴とするものである。
又、請求項６による注射針は、請求項１〜請求項５の何れかに記載の注射針において、上記蓋材は封止剤が固化したものであることを特徴とするものである。
又、請求項７による注射針は、請求項６記載の注射針において、上記封止剤は接着剤であることを特徴とするものである。
又、請求項８による注射針は、請求項１〜請求項５の何れかに記載の注射針において、上記針基本体と上記蓋材は予め一体化されていることを特徴とするものである。
又、請求項９による注射針は、請求項１〜請求項８の何れかに記載の注射針において、上記複数本の針は縦複数列／横一列に配置されていることを特徴とするものである。
又、請求項１０による注射針は、請求項１〜請求項８の何れかに記載の注射針において、上記複数本の針はタて複数列／横複数列に配置されていることを特徴とするものである。
又、請求項１１による注射針は、請求項１〜請求項１０の何れかに記載の注射針において、上記複数本の針の先端は傾斜刃面となっていて、この傾斜刃面の向きは不規則的であることを特徴とするものである。
又、請求項１２による注射針は、請求項１〜請求項１０の何れかに記載の注射針において、上記複数本の針の傾斜刃面の向きは規則的であることを特徴とするものである。
又、請求項１３による注射針は、請求項１２記載の注射針において、上記複数本の針の傾斜刃面は全て同じ方向に指向していることを特徴とするものである。
又、請求項１４による注射針は、請求項１２記載の注射針において、上記複数本の針は縦複数列／横複数列に配置されていて、中心の針を除くその他の針の傾斜刃面は放射方向内側又は放射方向外側に指向していることを特徴とするものである。
又、請求項１５による注射針は、シリンジと、上記シリンジの先端に取り付けられた請求項１〜請求項１４の何れかに記載された注射針と、を具備したことを特徴とするものである。
【発明の効果】
【０００９】
以上述べたように、本願発明の請求項１記載の注射針によると、薬液収容空間を備えた針基と、上記針基に取り付けられその基端が上記薬液収容空間に連通する複数本の針と、を具備してなる注射針において、上記針基は、上記針の軸方向に直交する方向に上記薬液収容空間を開口する開口部を備えた針基本体と、上記針基本体の上記開口部を閉塞する蓋材と、から構成されているので、複数本の針を備えていて、構成が簡単で容易に製造することができる。
又、請求項２による注射針によると、請求項１記載の注射針において、上記開口部は上記薬液収容空間成形用のスライド型を抜く為のものであるので、スライド型の抜きも確実なものとなり、上記効果をより確実なものとすることができる。
又、請求項３による注射針によると、請求項１又は請求項２記載の注射針において、上記開口部は上記針基本体の横断面を上から視た時短い辺の側に設けられているので、開口部の大きさを小さくし、且つ、蓋材の大きさを小さくすることができる。
又、請求項４による注射針によると、請求項１〜請求項３の何れかに記載の注射針において、上記針基本体には凹部が形成されていて、上記開口部は上記凹部の底部に設けられており、上記凹部は上記開口部に対して大きく形成されているので、上記蓋材による上記開口部の閉塞も容易である。
又、請求項５による注射針によると、請求項４記載の注射針において、上記蓋材は上記凹部に係合される基端部から上記開口部を閉塞する先端部に向けて先細に形成されているので、上記効果をより高めることができる。
又、請求項６による注射針によると、請求項１〜請求項５の何れかに記載の注射針において、上記蓋材は封止剤が固化したものであるので、別途、蓋材を成形する必要はなく、部品点数の減少と組立の容易化を図ることがてきる。
又、請求項７による注射針によると、請求項６記載の注射針において、上記封止剤は接着剤であるので、上記効果をより確実なものとすることができる。
又、請求項８による注射針によると、請求項１〜請求項５の何れかに記載の注射針において、上記針基本体と上記蓋材は予め一体化されているので、部品点数の減少と組立の容易化を図ることができる。
又、請求項９による注射針によると、請求項１〜請求項８の何れかに記載の注射針において、上記複数本の針は縦複数列／横一列に配置されているので、複数本の針が横一列に並んだ注射針を容易に製造することができる。
又、請求項１０による注射針によると、請求項１〜請求項８の何れかに記載の注射針において、上記複数本の針は縦複数列／横複数列に配置されているので、複数本の針が縦横に並んだ注射針を容易に製造することができる。
又、請求項１１による注射針によると、請求項１〜請求項１０の何れかに記載の注射針において、上記複数本の針の先端は傾斜刃面となっていて、この傾斜刃面の向きは不規則的であるので、様々な方向から薬液を注射することができる。
又、請求項１２による注射針によると、請求項１〜請求項１０の何れかに記載の注射針において、上記複数本の針の傾斜刃面の向きは規則的であるので、薬液を所定の方向に注射することができる。
又、請求項１３による注射針によると、請求項１２記載の注射針において、上記複数本の針の傾斜刃面は全て同じ方向に指向しているので、薬液を所定の方向に注射することができる。
又、請求項１４による注射針によると、請求項１２記載の注射針において、上記複数本の針は縦複数列／横複数列に配置されていて、中心の針を除くその他の針の傾斜刃面は放射方向内側又は放射方向外側に指向しているので、薬液を所定の方向に注射することができる。
又、請求項１５による注射装置によると、シリンジと、上記シリンジの先端に取り付けられた請求項１〜請求項１４の何れかに記載された注射針と、を具備しているので、複数本の針を備えた注射針付きの注射装置を容易に提供することができる。
【図面の簡単な説明】
【００１０】
【図１】本発明の第１の実施の形態を示す図で、注射針及び注射装置の使用状態を示す正面図である。
【図２】本発明の第１の実施の形態を示す図で、図２（ａ）は注射針を上方前方側から視た斜視図、図２（ｂ）は注射針を下方後方側から視た斜視図である。
【図３】本発明の第１の実施の形態を示す図で、図３（ａ）は注射針の正面図、図３（ｂ）は注射針の右側面図である。
【図４】本発明の第１の実施の形態を示す図で、注射針の背面図である。
【図５】本発明の第１の実施の形態を示す図で、図５（ａ）は図３（ｂ）のＶａ−Ｖａ断面図、図５（ｂ）は図３（ａ）のＶｂ−Ｖｂ断面図である。
【図６】本発明の第２の実施の形態を示す図で、注射針及び注射装置の使用状態を示す正面図である。
【図７】本発明の第２の実施の形態を示す図で、図７（ａ）は注射針を上方前方側から視た斜視図、図７（ｂ）は注射針を下方後方側から視た斜視図である。
【図８】本発明の第２の実施の形態を示す図で、注射針の正面図である。
【図９】本発明の第２の実施の形態を示す図で、図９（ａ）は注射針の平面図、図９（ｂ）は注射針の底面図である。
【図１０】本発明の第２の実施の形態を示す図で、図８のＸ−Ｘ断面図である。
【図１１】本発明の第３、第４の実施の形態を示す図で、図１１（ａ）は第３の実施の形態による注射針の縦断面図、図１１（ｂ）は第４の実施の形態による注射針の縦断面図である。
【図１２】本発明の第５、第６の実施の形態を示す図で、図１２（ａ）は第５の実施の形態による注射針の縦断面図、図１２（ｂ）は第６の実施の形態による注射針の縦断面図である。
【図１３】本発明の第７の実施の形態を示す図で、図１３（ａ）は蓋材により開口部を閉塞する前の注射針の縦断面図、図１３（ｂ）は蓋材により開口部を閉塞した状態の注射針の縦断面図である。
【図１４】本発明の第８の実施の形態を示す図で、図１４（ａ）は蓋材により開口部を閉塞する前の注射針の縦断面図、図１４（ｂ）は蓋材により開口部を閉塞した状態の注射針の縦断面図である。
【図１５】本発明の第９の実施の形態を示す図で、図１５（ａ）は開口部を閉塞する前の注射針の縦断面図、図１５（ｂ）は蓋材の部位を溶着している状態の注射針の縦断面図、図１５（ｃ）は蓋材により開口部を閉塞した状態の注射針の縦断面図である。
【図１６】本発明の第１０の実施の形態を示す図で、図１６（ａ）は開口部を閉塞する前の注射針の縦断面図、図１６（ｂ）は蓋材の部位を溶着している状態の注射針の縦断面図、図１６（ｃ）は蓋材により開口部を閉塞した状態の注射針の縦断面図である。
【図１７】本発明の第１１の実施の形態を示す図で、注射針の縦断面図である。
【図１８】本発明の第１２の実施の形態を示す図で、図１８（ａ）は蓋材により開口部を閉塞する前の注射針の縦断面図、図１８（ｂ）は蓋材により開口部を閉塞した状態の注射針の縦断面図である。
【図１９】本発明の第１３の実施の形態を示す図で、注射針の底面図である。
【発明を実施するための形態】
【００１１】
以下、図１乃至図５を参照しながら、本発明の第１の実施の形態について説明する。
図１に示すように、注射装置１はシリンジ３とこのシリンジ３の先端に連結された注射針５とから構成されている。上記シリンジ３はシリンダ４とこのシリンダ４内に移動可能に収容された図示しないピストンとから構成されている。上記シリンダ４内には薬液７が吸引・保持されていて、上記ピストンを押圧操作することにより、上記シリンダ４内に吸引・保持されている薬液７が上記注射針５側に供給され注射が行われる。
【００１２】
上記注射針５は、図１乃至図５に示すように、針基１１と上記針基１１に取り付けられた複数本（この実施の形態の場合には縦５列／横１列で合計５本）の針１３とから構成されている。図２、図４、及び、図５に示すように、上記針基１１は針基本体１５とこの針基本体１５に形成された後述する開口部を閉塞する蓋材１７とから構成されている。
【００１３】
図３に示すように、上記針基本体１５は図３中上部に略中空円筒形状のシリンジ接続部１９を備えていて、このシリンジ接続部１９には中空部２２が形成されている。この中空部２２内には、図１、図５に示すように、上記シリンジ３のシリンダ４の先端部が挿し込まれる。図５に示すように、上記中空部２２は、図５中上から下に向かって僅かに縮径されるようにテーパ状に形成されていて、一方、上記シリンダ４の先端部も先端に向かって僅かに縮径されるようにテーパ状に形成されている。それによって、シリンダ４は中空部２２内に隙間なく挿し込まれる。
【００１４】
上記シリンジ接続部１９の先端外周部であって１８０°対向する両側にはルアーロック接続用凸部２０、２０が突設されている。上記シリンジ３の代わりにルアーロックを備えた図示しない別の種類のシリンジを使用する場合は、上記ルアーロック接続用凸部２０、２０を使用して、上記注射針５と上記図示しないシリンジを連結する。
【００１５】
例えば、図３（ａ）、図４、図５（ａ）に示すように、上記針基本体１５の図３（ａ）中下部には、複数個（この第１の実施の形態の場合は５個）の針接続部２１が縦５列／横１列（図３（ａ）中左右方向）に等間隔で配置されている。既に説明した針１３はこれら針接続部２１のそれぞれに１本ずつ設置されている。
【００１６】
図３（ａ）に示すように、上記針基本体１５の幅方向（図３（ａ）中左右方向）両端には、凸部２３、２３が突設されている。これら凸部２３、２３は、図示しないキャップを被冠する際に係止部として機能する。
【００１７】
図５に示すように、上記針基本体１５内には薬液収容空間３１が設けられているとともに、この薬液収容空間３１と中空部２２を連通する連通孔３２が設けられている。上記シリンジ３側から供給された薬液７は上記連通孔３２を介して上記薬液収容空間３１内に供給されそこから全ての針１３に供給される。
【００１８】
図５（ｂ）に示すように、上記針基本体１５の背面側（図５（ｂ）中右側）には凹部３３が設けられている。上記薬液収容空間３１の上記針１３の軸方向（図５（ｂ）中上下方向）に直交する方向（図５（ｂ）中右方向）、すなわち、上記凹部３３の底部３５には開口部３７が設けられている。上記開口部３７の大きさは上記凹部３３の大きさよりも小さく設定されている。
【００１９】
一方、上記蓋材１７の先端側（図５（ｂ）中左側）には上記開口部３７を閉塞するための閉塞用凸部３９が形成されていて、先端部に向けて（図５（ｂ）中左側に向けて）先細の形状となっている。上記蓋材１７を上記凹部３３に係合させることにより、上記閉塞用凸部３９が上記開口部３３に挿し込まれる。上記蓋体１７は上記開口部３７に接着、溶着、圧入、等によって固定される。
尚、上記凹部３３の縁部（図５（ｂ）中右側）に面取加工が施されていて拡径されており、上記蓋材１７を上記凹部３３に係合させ易くなっている。
【００２０】
上記開口部３３は針基本体１５の成形時に薬液収容空間３１を成形するためのスライド型（中子）を取り出す型取出口として機能する。又、上記薬液収容空間３１内には薬液７が使用されることなく残留することになり、よって、その容積はできるだけ小さいことが望ましい。本実施の形態の場合には、図５（ａ）に示すように、薬液収容空間３１の高さは針１３の突出高さに対して僅かに高く設定されていて、且つ、図５（ｂ）に示すように、薬液収容空間３１の幅については針１３の外径に対して僅かに大きく設定されている。その結果、全ての針１３に薬液７を供給する機能を維持しつつ、上記薬液収容空間３１の容積はできるだけ小さな大きさになっている。
尚、上記中空部２２、連通孔３２を成形するためのスライド型（中子）は、中空部２２の上端開口側から取り出される。
【００２１】
図５（ｂ）に示すように、上記針基本体１５には、上記薬液収容空間３１に連絡され上記針接続部２１の先端面（図５（ｂ）中下側の面）に開口された針取付用貫通孔４１が形成されている。上記針１３は上記針取付用貫通孔４１に挿入・固定されている。上記針取付用貫通孔４１の先端部（図５（ｂ）中下側）は先端側（図５（ｂ）中下側）に向けて徐々に拡径されていて、上記注射針５の製造時に先端側（図５（ｂ）中下側）から上記針１３を上記針用貫通孔４１に挿入し易くなっている。上記注射針５は接着剤等によって固定される。
【００２２】
図５（ｂ）に示すように、上記針基本体１５の正面側（図５（ｂ）中左側）には凹部５１が設けられている。この凹部５１は成形時のヒケ防止のための肉盗みや減量化を目的として設けられている。
又、上記針１３の先端には傾斜刃面１３ａが設けられていて、この実施の形態の場合には、５本の針１３の傾斜刃面１３ａが全て同じ方向に向いている。
【００２３】
次に、この第１の実施の形態による作用について説明する。
まず、シリンジ３を注射針５から取り外した状態とし、図示しないピストンを引いて上記シリンジ３のシリンダ４の先端側から薬液７を上記シリンダ４内に吸引・保持する。
次に、上記シリンジ３のシリンダ４の先端部を、上記注射針５のシリンジ接続部１９の中空部２２内に挿し込む。それによって、シリンジ３の先端に注射針５が一体に取り付けられる。
【００２４】
次に、上記注射針５の全ての針１３の先端を図示しない患者の皮膚に穿刺し、上記シリンジ３の図示しないピストンを押圧操作する。それによって、シリンダ４内の薬液７は上記シリンダ４内部から連通孔３２を介して薬液収容空間３１に供給され、薬液収容空間３１から全ての上記針１３に供給される。そして、全ての針１３から図示しない患者の皮内から皮下に投与される。
【００２５】
次に、この第１の実施の形態による効果について説明する。
まず、複数本の針１３を備えたいわゆるマルチ針である注射針５の構成の簡略化と製造の容易化を図ることができる。
すなわち、本実施の形態による注射針５の針基１１は、単一部品ではないが、針基本体１５と蓋材１７とから構成されていて、その構成は簡単である。特に、針基本体１５は針基１１の略全ての部分を備えた形状になっていて、殆ど単一部品といっても良い部品であり、それによって、蓋材１７を小さくて、且つ、極めて単純な形状の部品とすることができ、総合的にみて構成は簡略化される。
又、針基本体１５と蓋材１７のそれぞれを、例えば、射出成形により成形すればよいので、その製造も容易である。
その際、針基本体１５には開口部３７が設けられているので、薬液収容空間３１を成形するためのスライド型（中子）の取り出しも容易である。又、蓋材１７は上記したように小さくて極めて単純な形状をなしているので、その製造も容易である。
【００２６】
又、本実施の形態の場合には、最終的にデットスペースとなる薬液収容空間３１を必要な機能を維持しつつできるだけ小さく設定しているので、注射されずに残留する薬液７を減量させることができる。
又、薬液収容空間３１をできるだけ小さくしたことにより開口部３７も小さなものとなっており、そのような小さな開口部３７の閉塞は面倒であるが、本実施の形態の場合には、比較的大きな凹部３３を設けその底部に上記開口部３７を位置させ、一方、蓋材１７については、基端側から先端の閉塞用凸部３９に向けて先細の形状としたので、蓋材１７の基端部を上記比較的大きな凹部３３に係合させることにより、閉塞用凸部３９を開口部３７に容易に挿し込むことができ、開口部３７の閉塞作業の容易化を図ることができる。
【００２７】
尚、本実施の形態の注射針５は、５本の注射針１３が縦５列／横１列に設けられた、いわゆる「マルチ針」であるので、一度で広範囲に注射することができ、注射に要する労力の軽減と時間の短縮を図ることができる。又、薬液７が注射される深さのばらつきをなくすことができ、薬液未投与部位を少なくすることができる。
【００２８】
次に、図６乃至図１０を参照しながら、本発明の第２の実施の形態について説明する。
この第２の実施の形態の場合も、図６に示すように、注射装置１０１はシリンジ３とこのシリンジ３のシリンダ４の先端に連結された注射針１０５とから構成されている。上記シリンダ４内には薬液７が吸引・保持されていて、上記シリンジ３の図示しないピストンを押圧操作することにより上記シリンダ４内の薬液７が上記注射針１０５側に供給される。
【００２９】
上記注射針１０５は、図６乃至図１０に示すように、針基１１１と上記針基１１１に取り付けられた複数本（この実施の形態の場合には縦３列／横３列で合計９本）の針１１３とから構成されている。
図７、図９、図１０に示すように、上記針基１１１は針基本体１１５と針基本体の後述する開口部を閉塞する蓋材１１７とから構成されている。
【００３０】
図８、図１０に示すように、上記針基本体１１５は図中上側に略中空円筒形状のシリンジ接続部１１９を備えている。上記シリンジ接続部１１９には、図１０に示すように、中空部１２２が形成されていて、この中空部１２２内に上記シリンジ３のシリンダ４の先端部が挿し込まれる。図１０に示すように、上記中空部１２２は、図１０中上から下に向かって僅かに縮径されるようにテーパ状に形成されていて、一方、上記シリンダ４の先端部も先端に向かって僅かに縮径されるようにテーパ状に形成されている。それによって、シリンダ４は中空部１２２内に隙間なく挿し込まれる。
【００３１】
上記シリンジ接続部１１９の先端外周部であって１８０°対向する両側にはルアーロック接続用凸部１２０、１２０が突設されている。上記シリンジ３の代わりにルアーロックを備えた図示しない別の種類のシリンジを使用する場合は、上記ルアーロック接続用凸部１２０、１２０を使用して、上記注射針１０５と上記図示しないシリンジを連結する。
【００３２】
図６乃至図１０に示すように、上記針基本体１１５の外周側には、凸部１２３が鍔状に設けられているとともに４個の凸部１２４、１２４、１２４、１２４が設けられている。上記４個の凸部１２４、１２４、１２４、１２４は図示しないキャップが被冠される際にキャップ側に設けられた係合凹部が係合する係合凸部として機能するとともに上記凸部１２４はキャップの先端が当接するストッパとして機能する。
【００３３】
図１０に示すように、上記針基本体１１５内には薬液収容空間１３１が設けられている。この薬液収容空間１３１も、前記第１の実施の形態の場合と同様に、必要な機能を維持しつつその容積はできるだけ小さなものに設定されている。上記針基本体１１５の正面側（図１０中左側）には凹部１３３が設けられている。上記薬液収容空間１３１の上記針１３の軸方向（図１０中上下方向）に直交する方向（図５１０中左方向）、すなわち、上記凹部１３３の底部側には開口部１３７が設けられている。上記開口部１３７の大きさは上記凹部１３３の大きさよりも小さく設定されている。
【００３４】
一方、上記蓋材１１７は先端側（図１０右側）に向けて先細の形状となっている。上記蓋材１１７を上記凹部１３３に係合させることにより、蓋材１１７の先端部によって上記開口部１３７が閉塞される。開口部１３７に対してより大きな凹部１３３に蓋材１１７を係合させれば良いので、作業も容易である。
【００３５】
図８、図９、図１０に示すように、上記針基本体１１５の上記薬液収容空間１３１の下側（図９（ｂ）中紙面垂直方向手前側）には、針取付用貫通孔１４１が複数個（この実施の形態の場合には縦３列／横３列で合計９個）設けられている。既に説明した針１１３はこれら針取付用貫通孔１４１にそれぞれ取り付けられている。上記針取付用貫通孔１４１の先端部（図１０中下側）は先端側（図１０中下側）に向けて拡径されていて、上記注射針１０５の製造時に先端側（図１０中下側）から上記針１３を上記針取付用貫通孔１４１に挿入し易くなっている。
尚、その他の構成は前記第１の実施の形態の場合と同じであり、図中同一部分には同一符号を付して示しその説明を省略する。
又、上記複数本の針１１３の先端には傾斜刃面１１３ａが形成されていて、図９（ａ）において外側に配置された８本の針１１３の傾斜刃面は放射方向内側を向いている。中心の針１１３の傾斜刃面１１１３ａは任意の方向に向いている。
【００３６】
この第２の実施の形態の場合も前記第１の実施の場合と同様の作用・効果を奏することができる。
又、針１３は、縦３列／横３列で合計９本配置されているので、前記第１の実施の形態の場合以上に広い範囲に効果的に注射を行うことができる。
【００３７】
次に、図１１（ａ）を参照して本発明の第３の実施の形態を説明する。前記第１の実施の形態の場合には、薬液収容空間３１の開口部３７が薬液収容空間３１の幅広側（横断面の長方形の長辺側）に設けられていたが、この実施の形態の場合には、開口部３３が薬液収容空間３１の幅狭側（横断面の長方形の短辺側、図１１（ａ）中左端）に設けられている。又、前記第１の実施の形態の場合には凹部３３を設けその底部に開口部３７を設けていたが、この実施の形態ではそのような凹部は設けられていない。又、前記第１の実施の形態の場合には蓋材１７として樹脂の成形品を使用していたが、この実施の形態の蓋材１７は、例えば、樹脂製或いはアルミニウム製の粘着テープである。
尚、その他の構成は前記第１の実施の形態と同じであり、図中同一部分には同一符号を付して示しその説明を省略する。
【００３８】
この場合には、前記第１の実施の形態の場合と同様の効果を奏することができるとともに、開口部３７の大きさが小さくなり、それに伴い、蓋材１７の大きさも小さくて済む。又、蓋材１７が樹脂の成形品ではなく樹脂製或いはアルミニウム製の粘着テープであるので製造が容易になるとともに組立作業も簡単になる。又、成形品としては一つで済む。
【００３９】
次に、図１１（ｂ）を参照して本発明の第４の実施の形態を説明する。前記第２の実施の形態の場合には、凹部１３３の底部に開口部１３７を設けていたが、この実施の形態の場合にはそのような凹部は設けられていない。又、前記第２の実施の形態の場合には、上記開口部１３７を閉塞する蓋材１１７として樹脂の成形品を使用していたが、この実施の形態の蓋材１１７は樹脂製或いはアルミニウム製の粘着テープである。
尚、その他の構成は前記第２の実施の形態と同じであり、図中同一部分には同一符号を付して示しその説明を省略する。
【００４０】
この場合には、前記第２の実施の形態の場合と同様の効果を奏することができるとともに、蓋材１７が樹脂の成形品ではなく樹脂製或いはアルミニウム製の粘着テープであるので製造が容易になるとともに組立作業も簡単になる。又、成形部品としては一つで済む。
【００４１】
次に、図１２（ａ）を参照して本発明の第５の実施の形態を説明する。前記第３の実施の形態の場合には、蓋材１７として樹脂製或いはアルミニウム製の粘着テープを使用したが、この実施の形態の場合には、接着剤を使用している。
尚、その他の構成は前記第３の実施の形態の場合と同じであり、図中同一部分には同一符号を付して示しその説明を省略する。
【００４２】
よって、前記第３の実施の形態の場合と略同様の効果を奏することができる。
【００４３】
次に、図１２（ｂ）を参照して本発明の第６の実施の形態を説明する。前記第４の実施の形態の場合には、蓋材１１７として樹脂製或いはアルミニウム製の粘着テープを使用したが、この実施の形態の場合には、接着剤を使用している。
尚、その他の構成は前記第４の実施の形態の場合と同じであり、図中同一部分には同一符号を付して示しその説明を省略する。
【００４４】
よって、前記第４の実施の形態の場合と略同様の効果を奏することができる。
【００４５】
次に、図１３を参照して本発明の第７の実施の形態を説明する。この実施の形態の場合には、図１３（ａ）に示すように、蓋材１７を針基本体１５に一体に設けておく。そして、図１３（ｂ）に示すように、薬液収容空間３３内のスライド型を引き抜いた後屈曲させるとともに溶着或いは接着させて、開口部３７を閉塞する。
尚、その他の構成は前記第３の実施の形態の場合と同じであり、図中同一部分には同一符号を付して示しその説明を省略する。
【００４６】
よって、前記第３の実施の形態の場合と同様の効果を奏することができる。又、蓋材１７を別の成形品やテープ、接着剤等を用意することはないので製造が容易であり、且つ、組立作業も簡単である。
【００４７】
次に、図１４を参照して本発明の第８の実施の形態を説明する。この実施の形態の場合には、図１４（ａ）に示すように、蓋材１１７を針基本体１１５に一体に設けておく。そして、図１４（ｂ）に示すように、薬液収容空間１３３内のスライド型を引き抜いた後屈曲させるとともに溶着或いは接着させて、開口部１３７を閉塞する。
尚、その他の構成は前記第４の実施の形態の場合と同じであり、図中同一部分には同一符号を付して示しその説明を省略する。
【００４８】
よって、前記第４の実施の形態の場合と同様の効果を奏することができる。又、蓋材１７を別の成形品として容易することはないので製造が容易であり、且つ、組立作業も簡単である。
【００４９】
次に、図１５を参照して本発明の第９の実施の形態を説明する。この実施の形態の場合には、まず、図１５（ａ）に示すように、針基本体１５の開口部３７が形成されている部分が突き出ている。次に、図１５（ｂ）に示すように、例えば、超音波溶着器２０１によって上記突き出た部分を溶着する。それによって、図１５（ｃ）に示すように、その部分が蓋材１７となり開口部３７が閉塞される。
尚、その他の構成は前記第３の実施の形態の場合と同じであり、図中同一部分には同一符号を付して示しその説明を省略する。
【００５０】
よって、前記第３の実施の形態の場合と同様の効果を奏することができる。又、蓋材１７を別の成形品として容易することはないので製造が容易であり、且つ、組立作業も簡単である。
【００５１】
次に、図１６を参照して本発明の第１０の実施の形態を説明する。この実施の形態の場合には、まず、図１６（ａ）に示すように、針基本体１１５の開口部１３７が形成されている部分が突き出ている。次に、図１６（ｂ）に示すように、例えば、超音波溶着器２０１によって上記突き出た部分を溶着する。それによって、図１６（ｃ）に示すように、その部分が蓋材１１７となり、開口部１３７が閉塞される。
尚、その他の構成は前記第４の実施の形態の場合と同じであり、図中同一部分には同一符号を付して示しその説明を省略する。
【００５２】
よって、前記第４の実施の形態の場合と同様の効果を奏することができる。又、蓋材１１７を別の成形品として容易することはないので製造が容易であり、且つ、組立作業も簡単である。
【００５３】
次に、図１７を参照して本発明の第１１の実施の形態を説明する。前記第３の実施の形態の場合には、薬液収容空間３１の片側に開口を設け蓋材１７によって閉塞するようにしたが、この第１１の実施の形態の場合には、両側に開口を設けて蓋材１７、１７によって閉塞するようにしている。
尚、その他の構成は前記第３の実施の形態の場合と同じであり、図中同一部分には同一符号を付して示しその説明を省略する。
この場合には、薬液収容空間３１を成形するための中子を両側の開口から挿入することができるので、中子自体を薄肉或いは小径にすることができ、それによって、薬液収容空間３１を小さくしてデッドスペースをさらに少なくすることができる。
【００５４】
次に、図１８を参照して本発明の第１２の実施の形態を説明する。前記第７の実施の形態の場合には、蓋材１７を接着或いは溶着して開口部３７を閉塞するようにしたが、この第１２の実施の形態の場合には、蓋材１７に突起１５１を設け、この突起１５１を開口部３７に圧入するようにしている。
尚、その他の構成は前記第３の実施の形態の場合と同じであり、図中同一部分には同一符号を付して示しその説明を省略する。
よって、前記第７の実施の形態の場合と同様の効果を奏することができる。
【００５５】
次に、図１９を参照して本発明の第１３の実施の形態を説明する。前記第２の実施の形態において、薬液収容空間１３１を形成するために、図中仮想線で示すような二つの中子１６１、１６１を使用することが考えられる。中子１６１はＥ字形状をなしていて、図中斜線で示す部位には成形時に樹脂が入り込むことになる。
尚、その他の構成は前期第２の実施の形態の場合と同じであり、図中同一部分には同一符号を付して示しその説明を省略する。
このような構成でも同様の効果を奏することができ、デッドスペースを効果的に少なくすることができる。
【００５６】
尚、本発明は前記第１乃至第１３の実施の形態に限定されない。
まず、前記第１乃至第１３の実施の形態の場合には、針基を針基本体と蓋材とから構成したが、それに限定されるものではなく、様々な二部品構造が想定される。例えば、縦に二つ割りにしたような構造も考えられる。
又、前記第１乃至第１３の実施の形態の場合には、針が、縦５列／横１列で合計５本、縦３列／横３列で合計９本の場合を例に挙げて説明したが、それに限定されるものではなく、針の本数、配置については様々な場合が考えられる。
又、針基本体や蓋材の形状、大きさについても様々な場合が考えられる。
又、前記第１乃至第１３の実施の形態においては、針の傾斜刃面の向きを規則的に設けたが、不規則に設ける場合もある。
又、前記第１乃至第１３の実施の形態の場合には、薬液収容空間の開口の数を１、２としたが、３個以上の場合も考えられる。
又、針の配置と中子の形状の組み合わせで適宜デッドスペースを低減する形態をとることができる。
又、第７、８、１２の実施の形態の場合には、一体成形された蓋材を折り曲げて開口部を塞ぐようにしたが、本体の任意の場所に薄肉部を介するなどして一体に蓋材を設けて、それを切断又はちぎるなどして開口部に接着又は溶着、圧入するなどしても良い。
その他、図示した構成はあくまで一例である。
【産業上の利用可能性】
【００５７】
本発明は、例えば、皮膚に対する注射に用いる注射針と注射装置に係り、特に、複数本の針を備えていて、構成が簡単で容易に製造することができるように工夫したものに関し、例えば、美容施術に用いる注射針と注射装置に好適である。
【符号の説明】
【００５８】
１  注射針
１１  針基
１３  針
１５  針基本体
１７  蓋材
３１  薬液収容空間
３３  凹部
３７  開口部
【図１】
2020175412.tif 000003
【図２】
2020175412.tif 000004
【図３】
2020175412.tif 000005
【図４】
2020175412.tif 000006
【図５】
2020175412.tif 000007
【図６】
2020175412.tif 000008
【図７】
2020175412.tif 000009
【図８】
2020175412.tif 000010
【図９】
2020175412.tif 000011
【図１０】
2020175412.tif 000012
【図１１】
2020175412.tif 000013
【図１２】
2020175412.tif 000014
【図１３】
2020175412.tif 000015
【図１４】
2020175412.tif 000016
【図１５】
2020175412.tif 000017
【図１６】
2020175412.tif 000018
【図１７】
2020175412.tif 000019
【図１８】
2020175412.tif 000020
【図１９】
2020175412.tif 000021
【国際調査報告】
2020175412.tif 000022
2020175412.tif 000023
2020175412.tif 000024
2020175412.tif 000025